(57)【要約】【課題】表示装置の表示画面に表示される映像の中には、部分的に静止している静止画像部分、例えば放送局のチャンネルロゴマークなどの常時表示されている固定表示パターンがあって、これ等の静止画像部分による表示画面への焼き付きや記憶現象を防ぐ対策を施した表示装置を提供する。【解決手段】チャンネル局を含む複数の信号入力系統から、表示する映像入力信号を選択する映像切換回路３と、映像入力信号を表示画面に表示した際の、固定表示パターンを含む固定パターン領域をマイコン９及び領域決定回路８で特定し、この固定パターン領域を、その周辺の色と同系統の色で補完する画像を形成するマスク信号を発生するマスク信号発生回路８と、映像入力信号とマスク信号とを合成する合成回路４とを有し、表示画面に表示される固定パターン領域から前記固定表示パターンを除く。【選択図】        図１
2004228843.tif 000002
【特許請求の範囲】
【請求項１】
映像入力信号に基づく映像を表示画面に表示する表示装置において、
チャンネル局を含む複数の信号入力系統から、表示する前記映像入力信号を選択する映像切換手段と、
前記映像入力信号を前記表示画面に表示した際の、固定表示パターンを含む固定パターン領域を特定する領域決定手段と、
前記固定パターン領域の周辺の画素に基づいて、該固定パターン領域を補完する画像を形成するマスク信号を発生するマスク信号発生手段と、
前記映像入力信号と前記マスク信号とを合成する映像合成手段と
を有し、
前記表示画面に表示される前記固定パターン領域から前記固定表示パターンを除くことを特徴とする表示装置。
【請求項２】
前記領域決定手段は、ユーザーによる操作に基づいて前記固定パターン領域を特定することを特徴とする請求項１記載の表示装置。
【請求項３】
前記領域決定手段は、前記ユーザーが決定する前記固定パターン領域の位置及び大きさの情報を、前記信号入力系統毎に記憶する記憶手段を有することを特徴とする請求項２記載の表示装置。
【請求項４】
前記領域決定手段は、前記映像入力信号に基づいて、前記表示画面に表示される動画部分と前記固定表示パターンを含む静止画部分を検出する動画検出回路を有し、該動画検出回路の検出信号に基づいて前記固定パターン領域を特定することを特徴とする請求項１記載の表示装置。
【請求項５】
前記動画検出回路は、数画面分のフレームメモリと比較回路とを有し、各フレームメモリの画像データを順次比較し、一定時間以上にわたって同一データが持続された場合、比較した部分を静止画部分と判定することを特徴とする請求項４記載の表示装置。
【請求項６】
更に、前記映像合成手段が、前記映像入力信号と前記マスク信号との合成を断続的に行なうように、該映像合成手段を制御する制御手段を設け、前記固定表示パターンを断続的に表示するようにしたことを特徴とする請求項１乃至５の何れかに記載の表示装置。
【発明の詳細な説明】
【０００１】
【発明の属する技術分野】
本発明は、画像を表示する表示装置に関し、特に表示画像の表示画面への焼き付きや記憶現象を防ぐ対策を施した表示装置に関する。
【０００２】
【従来の技術】
従来、この種の表示装置として、例えば、表示画面に動画又は静止画の何れかを画像表示する画像表示装置において、上記表示画面に供給される映像信号が動画又は静止画の何れであるかを判定し、静止画と判定された場合には静止画検出信号を出力する動き検出手段と、上記静止画検出信号に基づいて同一画像の表示持続時間を検出する持続時間検出手段と、上記表示持続時間に応じて上記同一画像の表示位置を上記表示画面内で平行移動させた画像信号を出力する画像シフト手段とを備え、静止画の表示持続時間に応じてその表示位置を移動させ、同一箇所に同一画像が表示され続けないように、表示画面の蛍光体の部分的な劣化、焼き付を防ぐようにするものがある（例えば、特許文献１参照）。
【０００３】
また他の従来例として、例えば、表示部に入力映像信号に応じた画像を表示させた後、この表示させた入力映像信号を反転させた反転画像を上記表示部に表示させる表示画像制御手段を有し、ネガポジ反転制御信号をローレベルで受けているときは、ＰＤＰ（プラズマディスプレイパネル）に通常画像を表示させ、ネガポジ反転制御信号をハイレベルで受けているときは、デジタルＲ，Ｇ，Ｂ信号に対してその明暗を反転させ、ＰＤＰに反転画像を通常画像の表示時間と略同じ時間だけ表示させるようにしているものもある（例えば、特許文献２参照）。
【０００４】
【特許文献１】
特開平１０―２０８３８号公報（第３−４頁、図１）
【特許文献２】
特開２００１―６７０４０号公報（第４−７頁、図１）
【０００５】
【発明が解決しようとする課題】
以上のような従来の装置では、何れも静止画を表示している時のみしか対応しておらず、動画表示画面中にあって部分的に静止している静止画像部分、例えば放送局のチャンネルロゴマークなどの常時表示されている部分の焼き付きに対して対応していなかったという問題点があった。
【０００６】
本発明の目的は、これ等の問題点を解消し、動画表示画面中にあって部分的に静止している静止画像部分に対して、画面の焼き付を軽減できる表示装置を提供することにある。
【０００７】
【課題を解決するための手段】
本発明の表示装置は、映像入力信号に基づく映像を表示画面に表示する表示装置において、
チャンネル局を含む複数の信号入力系統から、表示する前記映像入力信号を選択する映像切換手段と、前記映像入力信号を前記表示画面に表示した際の、固定表示パターンを含む固定パターン領域を特定する領域決定手段と、前記固定パターン領域の周辺の画素に基づいて、該固定パターン領域を補完する画像を形成するマスク信号を発生するマスク信号発生手段と、前記映像入力信号と前記マスク信号とを合成する映像合成手段とを有し、
前記表示画面に表示される前記固定パターン領域から前記固定表示パターンを除くことを特徴とする。
【０００８】
【発明の実施の形態】
実施の形態１．
図１は、本発明の表示装置に基づく、実施の形態１の表示装置１の構成を示すブロック図である。
【０００９】
同図に示す表示装置１において、先ずその回路構成について説明する。映像入力端子２の各端子には、複数の系統から映像情報が入力され、映像切換回路３に送られる。映像切換回路３は、チャンネル選局機能による放送チャンネル選局をも含めて複数の信号入力系統から映像入力信号ＰＩＮＳを選択し、合成回路４及びマスク信号発生回路７に出力する。マスク信号発生回路７は、後述するようにこの映像入力信号ＰＩＮＳと領域決定回路８から入力する設定領域情報信号ＤＯＩＮからマスク信号ＭＡＳＫを形成し、合成回路４にこのマスク信号ＭＡＳＫを出力する。
【００１０】
合成回路４は、映像入力信号ＰＩＮＳとマスク信号ＭＡＳＫとを合成した合成映像信号ＣＯＰＳをドライバ回路５に出力し、ドライバ回路５は、この合成映像信号ＣＯＰＳをＰＤＰ（プラズマディスプレイパネル）６で映像化すべく、このＰＤＰ６を駆動する。
【００１１】
マイコン９は、図示しないリモコン等の操作入力手段によって、ユーザーの操作情報を入力し、これに基づいて、映像切換回路３が映像入力信号ＰＩＮＳを選択するための入力選択指示信号ＳＥＤＩを映像切換回路３に出力する。また、マイコン９は、同じくユーザーの操作情報に基づいて、後述するように、領域決定回路８が設定領域情報信号ＤＯＩＮを形成するための領域指定信号ＤＯＡＰを領域決定回路８に出力する。
【００１２】
尚、映像入力端子２及び映像切換回路３は映像切換手段に相当し、マイコン９及び領域決定回路８が領域決定手段に相当し、マスク信号発生回路がマスク信号発生手段に相当し、合成回路４が映像合成手段に相当する。
【００１３】
図２は、以上の構成による実施の形態１の表示装置１における動作の流れを示すフローチャートであり、このフローチャートに基づいて、表示装置１の動作を以下に説明する。
【００１４】
マイコン９は、映像切換回路３が選択する映像入力信号ＰＩＮＳを切り換えるためのユーザーの指示を監視し（ステップ１）、この指示を入力すると、この指示情報を含む入力選択指示信号ＳＥＤＩを映像切換回路３に出力する（ステップ２）。映像切換回路３は、入力した指示情報に基づいて選択した映像入力信号ＰＩＮＳを、合成回路４及びマイク信号発生回路７に出力する。このときＰＤＰ６の表示画面には、選択された映像入力信号ＰＩＮＳの映像が映し出される。図５（ａ）は、このときにＰＤＰ６の表示画面６ａに映し出された映像の一例を示す説明図である。
【００１５】
ユーザーは、図５（ａ）に示すＰＤＰ６の表示画面６ａの映像中に、チャンネル番号、ロゴマーク等の固定表示パターン３０を確認すると、図示しない操作入力手段によって、その固定表示パターン３０が属する固定パターン領域３１を特定する。例えば、図５（ａ）の表示画面６ａに示すように、予め決められた○、□等の領域パターン３２を表示させ、固定表示パターン３０を囲むように、固定パターン領域３１の位置及びサイズを決定する。マイコン９は、この決定を確認すると（ステップ３）、この位置及びサイズ情報を含む領域指定信号ＤＯＡＰを領域決定回路８に出力する（ステップ４）。
【００１６】
尚、後述するように、マイコン９は、選択された信号入力系統に対応する固定パターン領域３１の位置及びサイズ情報が記憶部９ａに記憶されている場合、ユーザー操作を待つことなく、この情報を領域指定信号ＤＯＡＰとして出力し、上記したステップ３をパスする。
【００１７】
領域決定回路８は、入力した領域指定信号ＤＯＡＰが指定する固定パターン領域３１に相当する設定領域情報ＤＯＩＮをマスク信号発生回路７に出力する。マスク信号発生回路７では、この固定パターン領域３１の映像に換えてこれを補完する画像を形成するためのマスク信号ＭＡＳＫを、領域パターン３２の周囲の画素から演算により発生し、このマスク信号ＭＡＳＫを合成回路４に出力する（ステップ５）。
【００１８】
合成回路４は、元の映像入力信号ＰＩＮＳとこのマスク信号発生回路７で生成したマスク信号ＭＡＳＫを合成し（ステップ６）、合成した合成映像信号ＣＯＰＳをドライバ回路５に出力してＰＤＰ６で映像化する。図５（ｂ）は、このときの合成映像信号ＣＯＰＳに基づいて表示画面６ａに映し出された映像の一例を示す説明図である。
【００１９】
同図に示すように、固定パターン領域３１は、例えば、その周囲の画素の平均化した同系統の色で補完され、固定表示パターン３０（図５（ａ））が、固定パターン領域３１から除かれた状態となる。
【００２０】
一方、マイコン９は、入力選択指示信号ＳＥＤＩによって映像切換回路３が選択する信号入力系統毎に、領域決定回路８で設定される固定パターン領域３１（図５（ａ））の位置及びサイズ情報を、各系統に対応させて記憶部９ａに記憶する（ステップ７）。このように、各信号入力系統毎に、固定パターン領域３１の位置及びサイズ情報を記録することにより、マイコン９は、前記したステップ３におけるユーザー操作によって固定パターン領域３１を特定することなく、各入力に応じてその固定パターン領域２１を特定するための領域指定信号ＤＯＡＰを自動的に出力することができる。即ち、ユーザーによって設定処理を行なうステップ３の処理をパスすることができる。
【００２１】
以上のように、実施の形態１の表示装置によれば、選択した映像入力信号に基づく映像の一部に固定表示パターンがある場合、その固定表示パターンを含む固定パターン領域をユーザーが任意に設定し、その周囲の画像の色に合わせて同系統の色に補完するため、視聴時に、ユーザーに違和感を与えることなく、固定表示パターンを確実に除くことができる。これによって、例えば放送局のチャンネルロゴマークなどの常時表示されている部分の、表示画面への焼き付きを防止することができる。
【００２２】
また、ある信号入力系統の映像に対して、ユーザーが固定パターン領域を一旦設定すると、以後、同一の信号入力系統が選択された場合、この系統の映像に対しては、自動的に固定パターン領域が設定されるため、煩わしいユーザー操作量を最小限に抑えることができる。
【００２３】
実施の形態２．
図３は、本発明の表示装置に基づく、実施の形態２の表示装置１１の構成を示すブロック図である。
【００２４】
この表示装置１１が、前記した実施の形態１の表示装置１と主に異なる点は、動画検出回路１２が新たに追加された点である。従って、この動画検出回路１２が追加された表示装置１１が、前記した実施の形態１の表示装置１（図１）と構成的に共通する部分には同符号を付し、構成及び動作の異なる特徴的な部分を重点的に説明する。尚、本実施の形態では、この動画検出回路１２及び領域決定回路８が領域決定手段に相当する。
【００２５】
図３において、動画検出回路１２は、映像切換回路３で選択された映像入力信号ＰＩＮＳを入力し、マイコン９の指令のもとに、ＰＤＰ６の表示画面６ａ（図５）に映し出された映像の内、静止画像を識別する。この動画検出回路１２は、例えば数画面分のフレームメモリと比較回路とで構成され、各フレームメモリの画像データを順次比較し、一定時間以上にわたって同一データが持続された場合、比較したその部分を静止画部分と判定するものである。この比較は全画面にわたって行なわれ、特定した静止画部分の位置及びサイズ情報を含む領域指定信号ＤＯＡＰを領域決定回路８に出力する。
【００２６】
領域決定回路８は、入力した領域指定信号ＤＯＡＰが指定する静止画部分を含む固定パターン領域３１（図５）に相当する設定領域情報ＤＯＩＮをマスク信号発生回路７に出力する。尚、映像入力信号に重畳するノイズによる影響によって、動／静の境界部分が動画部分と判定されることを防ぐため、固定パターン領域３１は、静止画部分をある程度余裕をもって含む領域となるように設定されるのが望ましい。
【００２７】
従って、本実施の形態２の表示装置１１は、図２に示すフローチャートにおいて、ステップ３の処理を動画検出回路１２が実施するもので、他の処理は実施の形態１の表示装置１と同様に行なわれるものである。但し、本実施の形態の場合、操作者による固定パターン領域３１の位置及びサイズを決定する作業がなくなるため、前記したステップ７の処理は省いてもよく、この場合マイコン９の記憶部９ａは不要となる。
【００２８】
以上のように、実施の形態２の表示装置によれば、前記した実施の形態１の表示装置と同様に、視聴時に、ユーザーに違和感を与えることなく、固定表示パターンを確実に除くことができるのに加え、更に、固定表示パターンを含む固定パターン領域を自動的に設定するため、ユーザーによる面倒な領域設定操作を省略することができる。
【００２９】
実施の形態３．
図４は、本発明の表示装置に基づく、実施の形態３の表示装置２１の構成を示すブロック図である。
【００３０】
この表示装置２１が、前記した実施の形態１の表示装置１と主に異なる点は、マイコン９から合成回路４に対して合成制御信号ＣＯＭＡが出力されるように構成されている点である。従って、この表示装置２１が、前記した実施の形態１の表示装置１（図１）と構成的に共通する部分には同符号を付し、動作が異なる特徴的な部分を重点的に説明する。尚、本実施の形態では、マイコン９が制御手段にも相当する。
【００３１】
図４において、合成回路４は、マイコン９から入力する合成制御信号ＣＯＭＡに基づいて、映像切換回路３が選択する映像入力信号ＰＩＮＳに対してマスク信号ＭＡＳＫを合成するのを中断する。この中断の間、図５（ａ）に示すＰＤＰ６の表示画面６ａには、固定表示パターン３０が現れ、その他の期間は合成が行なわれ、図５（ｂ）に示すように、固定パターン領域３１は前記補間が行なわれて固定表示パターン３０は除かれる。
【００３２】
一方、マイコン９は、合成回路４に対して、所定の周期、例えば１分毎に１秒間だけ、合成を中断するための合成制御信号ＣＯＭＡを出力する。従って、ＰＤＰ６の表示画面６ａには、１分毎に１秒間だけ固定表示パターン３０が表示される。
【００３３】
以上のように、実施の形態３の表示装置によれば、前記した実施の形態１の表示装置と同様に、視聴時に、ユーザーに違和感を与えることなく、固定表示パターンを確実に除くことができるのに加え、更に所定時間毎に、表示画面に固定表示パターンを短時間表示するようにしたので、情報の欠落を防止することが出来る。
【００３４】
尚、前記した各実施の形態では、表示デバイスとしてＰＤＰを用いたが、これに限定されるものではなく、ＣＲＴ（ｃａｔｈｏｄｅ−ｒａｙ  ｔｕｂｅ）やＥＬ（ｅｌｅｃｔｒｏｌｕｍｉｎｅｓｃｅｎｃｅ）のような、自発光素子を使用した画像表示装置であっても、同様の効果を得る事ができる。更に、表示デバイスが液晶パネルのような非発光デバイスを用いた画像表示装置であっても、表示画像のパネルへの記憶現象を防ぐことができ、パネルの劣化を防ぐことができる。
【００３５】
【発明の効果】
本発明による表示装置によれば、視聴者に違和感を与えることなく、動画表示画面中にあって部分的に静止している固定表示パターン、例えば放送局のチャンネルロゴマークなどの常時表示されている部分を除いて、静止画部分の表示画面への焼き付き、或いは記憶現象を防止することができる。
【図面の簡単な説明】
【図１】本発明の表示装置に基づく、実施の形態１の表示装置１の構成を示すブロック図である。
【図２】実施の形態１の表示装置１における動作の流れを示すフローチャートである。
【図３】本発明の表示装置に基づく、実施の形態２の表示装置１１の構成を示すブロック図である。
【図４】本発明の表示装置に基づく、実施の形態３の表示装置２１の構成を示すブロック図である。
【図５】（ａ）は映像入力信号ＰＩＮＳに基づいて表示画面６ａに映し出された映像の一例を示す説明図であり、（ｂ）は合成映像信号ＣＯＰＳに基づいて表示画面６ａに映し出された映像の一例を示す説明図である。
【符号の説明】
１  表示装置、  ２  映像入力端子、  ３  映像切換回路、  ４  合成回路、５  ドライバー回路、  ６  ＰＤＰ、  ６ａ  表示画面、  ７  マスク信号発生回路、  ８  領域決定回路、  ９  マイコン、  ９ａ  記憶部、  １１  表示装置、  １２  動画検出回路、  ２１  表示装置、  ３０  固定表示パターン、
３１  固定パターン領域、  ３２  領域パターン。
【図１】
2004228843.tif 000003
【図２】
2004228843.tif 000004
【図３】
2004228843.tif 000005
【図４】
2004228843.tif 000006
【図５】
2004228843.tif 000007